(57)【要約】    【課題】  所望の項目情報を探し出しやすい表示のできる情報提示装置を提供する。    【手段】  記録部２には、見出語および当該見出語を説明する説明文を備えた項目情報が複数個記録されている。アクセス手段４は、記録部２にアクセスするための手段である。取得手段６は、アクセス手段４を介して、表示対象となる項目情報を記録部２から読み出す。表示制御手段８は、取得手段６によって取得した項目情報を表示部１８に表示する。この際、項目情報の見出語２０と、説明文の先頭部分２２と、説明文全体へのリンク２４とを矩形状の個別表示領域２６に表示する。表示部には、各項目情報に対応する個別表示領域２６が、縦横に複数個配置される。指令入力部１０から指令が入力されると、表示制御手段８はこれに応じて、表示の拡大、縮小、移動、変更（ページ送り）などの処理を行う。【選択図】  図２
2011180639.tif 000002
【特許請求の範囲】
【請求項１】
見出語および当該見出語を説明する説明文を備えた項目情報を複数個表示する情報提示装置であって、
項目情報を複数記録した記録部にアクセスするためのアクセス手段と、
表示対象である複数の項目情報を取得する取得手段と、
前記項目情報の見出語と、説明文の少なくとも先頭部分と、説明文全体へのリンクとを矩形状の個別表示領域に表示し、取得手段によって取得した各項目情報についての前記個別表示領域を表示部に縦横に複数個配置して表示するよう制御する表示制御手段と、
を備えた情報提示装置において、
前記表示制御手段は、指令に基づいて前記表示領域における表示を、少なくとも拡大、縮小、移動または変更させることを特徴とする情報提示装置。
【請求項２】
見出語および当該見出語を説明する説明文を備えた項目情報を複数個表示する情報提示装置をコンピュータによって実現するための情報提示プログラムであって、コンピュータを
項目情報を複数記録した記録部にアクセスするためのアクセス手段と、
表示対象である複数の項目情報を取得する取得手段と、
前記項目情報の見出語と、説明文の少なくとも先頭部分と、説明文全体へのリンクとを矩形状の個別表示領域に表示し、取得手段によって取得した各項目情報についての前記個別表示領域を表示部に縦横に複数個配置して表示するよう制御する表示制御手段と、
して機能させるための情報提示プログラムにおいて、
前記表示制御手段は、指令に基づいて前記表示領域における表示を、少なくとも拡大、縮小、移動または変更させることを特徴とする情報提示プログラム。
【請求項３】
請求項１の情報提示装置または請求項２の情報提示プログラムにおいて、
前記項目情報は、辞書として記録された辞書項目情報とユーザが作成することで記録されたユーザ項目情報とを備えており、
前記表示制御手段は、辞書項目情報についての個別表示領域と、ユーザ項目情報についての個別表示領域とを表示することを特徴とする装置またはプログラム。
【請求項４】
請求項３の情報提示装置または情報提示プログラムにおいて、
前記項目情報は、さらに、インターネット上のサーバに記録されたインターネット項目情報を含むことを特徴とする装置またはプログラム。
【請求項５】
見出語および当該見出語を説明する説明文を備えた項目情報を複数個表示する際の表示方法であって、
表示領域を縦横の複数の領域に分割し、
各分割領域において、見出語および説明文の少なくとも先頭部分を表示するとともに、説明文へのリンクを表示することを特徴とする表示方法。
【発明の詳細な説明】
【技術分野】
【０００１】
この発明は、辞書などの見出語およびその説明文の表示方法に関するものである。
【背景技術】
【０００２】
図１に、従来の検索サイトによる検索結果の表示画面を示す。検索結果として項目８２、８４、８６、８８、９０が、表示されている。各項目においては、リンクつきのサイトの見出し９２、サイトの概要説明文９４、サイトのＵＲＬ９６等が表示される。
【０００３】
ユーザは、見出し９２や概要説明文９４などを参照しながら、必要なサイトのリンクをクリックして、当該サイトを閲覧することができる。
【０００４】
また、辞書などの情報を検索する場合も、上記と同じようにして検索結果が表示される。
【０００５】
辞書などにおける表示について、特許文献１においては、情報をノードとして記述し、これを仮想平面に表示する際に情報の重要度に応じて表示文字を拡大縮小させる技術が開示されている。
【０００６】
また、特許文献２では、辞書に収録されている単語の訳や例文を表示する順位を利用者の修得度に応じて単語ごとに記憶して表示することが開示されている。
【０００７】
特許文献３には、任意の文書を利用者の好みの文書レイアウトに整形することが開示されている。
【０００８】
特許文献４には、既存の辞書データと追加辞書データの双方を同時に検索し結果を表示することが開示されている。
【先行技術文献】
【特許文献】
【０００９】
【特許文献１】特開平５−８０９６７号公報
【特許文献２】特許３３９８０７８号公報
【特許文献３】特開平５−８９１２４号公報
【特許文献４】特許３５９２２０７号公報
【発明の概要】
【発明が解決しようとする課題】
【００１０】
しかしながら、上記のような従来技術では、次のような問題点があった。
【００１１】
第一に、従来技術では、縦方向に項目が並んでいるため、多数の項目の中から所望の項目を探し出すのが煩雑である。項目が増え、１つのページに表示しきれない場合には、次ページに検索結果の続きが表示されることになる。したがって、１つのぺージに多数の項目が表示されることになると、ページが分割して表示され、画面をスクロールしなければ項目を見いだすことができず、操作が煩雑であるという問題があった。特に、携帯情報端末のような表示画面の小さい機器においては、なおさらであった。
【００１２】
第二に、従来技術では、目的とする項目の周辺情報を発見する可能性が低く、いわゆる「遊び」が少ないという問題があった。一般に目的としている項目を探す際に、これに関連する項目を見いだすことで、周辺情報を発見することができる。たとえば、複数段に組まれた辞書などは、目的とする項目の周囲に多くの周辺情報があり「遊び」が多い。残念ながら、図１に示す従来技術では、上下に項目が並んでいるだけであり、このような「遊び」は大きくない。
【００１３】
上記のような問題に関連して、特許文献１では、情報の重要性に応じて表示文字を縮小したり拡大したりして、このような問題を解決しようとしている。しかし、特許文献１のものにおいても、上記の問題は解決されていない。また特許文献１は、項目とその説明文の表示という形式ではない。したがって、第二の問題を解決するものではない。
【００１４】
また、特許文献２では、単語の表示順を優先度に応じて変えることはできるが、上記の問題を解決するものではない。
【００１５】
さらに、特許文献３は、ワードプロセッサによってユーザの意図するレイアウト編集を容易にするものであり、辞書などの情報検索に関するものではない。したがって、上記の問題を解決するものでない。
【００１６】
特許文献４は、複数の辞書のデータを同時に検索するものであるが、検索結果が大量になった場合の問題については、特許文献２と同じように、上記の問題を解決するものでない。
【００１７】
この発明は上記のような問題点を解決した情報提示装置を提供することを目的とする。
【課題を解決するための手段】
【００１８】
(1)(2)この発明に係る情報提示装置は、見出語および当該見出語を説明する説明文を備えた項目情報を複数個表示する情報提示装置であって、項目情報を複数記録した記録部にアクセスするためのアクセス手段と、表示対象である複数の項目情報を取得する取得手段と、前記項目情報の見出語と、説明文の少なくとも先頭部分と、説明文全体へのリンクとを矩形状の個別表示領域に表示し、取得手段によって取得した各項目情報についての前記個別表示領域を表示部に縦横に複数個配置して表示するよう制御する表示制御手段とを備えた情報提示装置において、前記表示制御手段は、指令に基づいて前記表示領域における表示を、少なくとも拡大、縮小、移動または変更させることを特徴としている。
【００１９】
したがって、縦横に各項目情報が配置されているので所望の項目情報を探すのが容易であり、周辺情報も見いだしやすい。
【００２０】
(3)この発明に係る情報提示装置は、項目情報が、辞書として記録された辞書項目情報とユーザが作成することで記録されたユーザ項目情報とを備えており、表示制御手段が、辞書項目情報についての個別表示領域と、ユーザ項目情報についての個別表示領域とを表示することを特徴としている。
【００２１】
(4)この発明に係る情報提示装置は、項目情報が、さらに、インターネット上のサーバに記録されたインターネット項目情報を含むことを特徴としている。
【００２２】
したがって、インターネット上の項目情報も含めて情報を提示することができる。
【００２３】
(5)この発明に係る表示方法は、見出語および当該見出語を説明する説明文を備えた項目情報を複数個表示する際の表示方法であって、表示領域を縦横の複数の領域に分割し、各分割領域において、見出語および説明文の少なくとも先頭部分を表示するとともに、説明文へのリンクを表示することを特徴としている。
【００２４】
したがって、縦横に各項目情報が配置されているので所望の項目情報を探すのが容易であり、周辺情報も見いだしやすい。
【００２５】
この発明において「アクセス手段」は、項目情報が記録されている記録部にアクセスするための手段をいい、図９のステップＳ６０１、図１３のステップＳ８０２、インターネットを介して他のコンピュータに接続するための処理ステップなどがこれに対応する。
【００２６】
「取得手段」は、実施形態においては、図９のステップＳ６０３、図１３のステップＳ８０２がこれに対応する。
【００２７】
「表示制御手段」は、実施形態においては、図１１のステップＳ７０１および図１４のステップＳ９０１〜Ｓ９０５がこれに対応する。
【００２８】
「事典」とは、見出語とその説明文を少なくとも含むものをいい、百科事典などの事典だけでなく、英和辞書、国語辞書などの辞書も含む概念である。
【００２９】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００３０】
【図１】従来の検索結果の表示例を示す図である。
【図２】一実施形態による情報提示装置の機能ブロック図である。
【図３】情報提示装置のハードウエア構成である。
【図４】事典のデータ例を示す図である。
【図５】グループ情報を示す図である。
【図６】事典のグループ情報を示す図である。
【図７】ユーザ事典のグループ情報を示す図である。
【図８】情報提示プログラムのフローチャートである。
【図９】項目情報ＩＤ一覧取得のフローチャートである。
【図１０】取得され集約された項目情報一覧である。
【図１１】書籍レイアウト初期設定のフローチャートである。
【図１２】決定された表示枠を示す図である。
【図１３】表示用項目情報取得のフローチャートである。
【図１４】項目情報書籍レイアウト生成のフローチャートである。
【図１５】表示された項目情報の１ページ目を示す図である。
【図１６】表示された項目情報の２ページ目を示す図である。
【図１７】画面操作のフローチャートである。
【図１８】項目情報の詳細表示画面である。
【図１９】他の実施形態による項目情報の表示を示す図である。
【発明を実施するための形態】
【００３１】
１．全体構成
図２に、この発明の一実施形態による情報提示装置の機能ブロック図を示す。記録部２には、見出語および当該見出語を説明する説明文を備えた項目情報が複数個記録されている。アクセス手段４は、記録部２にアクセスするための手段である。取得手段６は、アクセス手段４を介して、表示対象となる項目情報を記録部２から読み出す。表示制御手段８は、取得手段６によって取得した項目情報を表示部１８に表示する。
【００３２】
この際、項目情報の見出語２０と、説明文の先頭部分２２と、説明文全体へのリンク２４とを矩形状の個別表示領域２６に表示する。表示部には、各項目情報に対応する個別表示領域２６が、縦横に複数個配置される。指令入力部１０から指令が入力されると、表示制御手段８はこれに応じて、表示の拡大、縮小、移動、変更（ページ送り）などの処理を行う。
【００３３】
したがって、図２に示すように項目情報が表示されるので、ユーザは、縦横方向に目線を動かしつつ、拡大・移動などを行って、所望の項目情報の個別表示領域２６を見いだすことができる。この際に、縦横方向に項目情報を探すので、周辺情報を取得するチャンスも多くなる。見いだした個別表示領域２６のリンク２４をクリックすることで、項目情報の説明文全文を表示させることができる。
【００３４】
２．ハードウエア構成
図３に、情報提示装置のハードウエア構成を示す。ＣＰＵ３６には、メモリ３８、ハードディスク４０、ディスプレイ３０、マウス／キーボード３２、通信回路３４が接続されている。通信回路３４は、インターネットなどに接続するための回路である。
【００３５】
ハードディスク４０には、WINDOWS（商標）などのオペレーティングシステム（ＯＳ）４２、情報提示プログラム４４、事典４６、ユーザ事典４８が記録されている。情報提示プログラム４４は、ＯＳ４２と協働してその機能を達成するものである。事典４６は、項目情報を多数記述したものである。ユーザ事典４８は、ユーザが登録した項目情報を記録するものである。
【００３６】
図４に、ハードディスク４０に記録された事典４６のデータ例を示す。ＤＩＣ＿ＩＤ２０１は、項目情報に与えられたユニークな符号である。ＤＩＣ＿ＷＯＲＤ２０２は、漢字による見出語である。ＤＩＣ＿ＹＯＭＩ２０３は、かなによる見出語である。ＤＩＣ＿ＤＥＳＣＲＩＰＴＩＯＮ２０４は、説明文である。この図においては、項目情報は６個しか表示されていないが、実際には多数の項目情報が記録されている。
【００３７】
事典４６には、図５に示すようなグループ情報も記録されている。図５Ａに示すように、ＤＩＣ＿ＧＲＯＵＰ＿ＩＤ２５１はグループ（ジャンル等）を一意に表現する符号、ＤＩＣ＿ＧＲＯＵＰ＿ＮＡＭＥ２５２はグループ（ジャンル等）の名称である。図ではグループＩＤ「０００１」にグループ名「歴史」、グループＩＤ「０００２」にグループ名「地理」を割り当てている。また図では２つのグループしか表示されていないが、その他にも多くのグループが記録されている。
【００３８】
図５Ｂに示すように、各グループに対応して、当該グループに属する項目情報のＩＤが記録されている。ＦＷ＿ＤＩＣ＿ＧＲＯＵＰ＿ＩＤ２５３はグループのＩＤ、ＦＷ＿ＤＩＣ＿ＩＤ２５４は当該グループＩＤに属する項目情報のＩＤである。図ではグループＩＤ「０００１」および「０００２」に項目情報ＩＤが多数登録されていることを示している。たとえば、「歴史」グループには、項目情報ＩＤが「０００１、０００２、０００３・・・」である項目情報が属することが示されている。
【００３９】
図６に、ハードディスク４０に記録されたユーザ事典４８のデータ例を示す。ユーザ事典の内容は、ユーザが、マウス／キーボード３２を用いて入力したものである。ＵＤＩＣ＿ＩＤ３０１は、項目情報に与えられたユニークな符号である。ＵＤＩＣ＿ＷＯＲＤ３０２は、漢字による見出語である。ＵＤＩＣ＿ＹＯＭＩ３０３は、かなによる見出語である。ＵＤＩＣ＿ＤＥＳＣＲＩＰＴＩＯＮ３０４は、説明文である。
【００４０】
ユーザ事典４８には、図７に示すようなグループ情報も記録されている。図７Ａに示すように、ＵＤＩＣ＿ＧＲＯＵＰ＿ＩＤ２７１はグループ（ジャンル等）を一意に表現する符号、ＵＤＩＣ＿ＧＲＯＵＰ＿ＮＡＭＥ２７２はグループ（ジャンル等）の名称である。図ではグループＩＤ「０００１」にグループ名「歴史」、グループＩＤ「０００２」にグループ名「紀行」を割り当てている。また図では２つのグループしか表示されていないが、その他にも多くのグループが記録されている。
【００４１】
図７Ｂに示すように、各グループに対応して、当該グループに属する項目情報のＩＤが記録されている。ＦＷ＿ＵＤＩＣ＿ＧＲＯＵＰ＿ＩＤ２７３はグループのＩＤ、ＦＷ＿ＵＤＩＣ＿ＩＤ２７４は当該グループＩＤに属する項目情報のＩＤである。図ではグループＩＤ「０００１」および「０００２」に項目情報ＩＤが多数登録されていることを示している。たとえば、「歴史」グループには、項目情報ＩＤが「０００１、０００２、０００３・・・」である項目情報が属することが示されている。なお、ユーザ事典４８におけるグループ情報は、ユーザがマウス／キーボード３２から入力したものである。
【００４２】
３．情報提示プログラムの処理
情報提示プログラム４４のフローチャートを、図８に示す。たとえば、ユーザが、何れかのグループを指定し、当該指定したグループに属する項目情報を表示するように、マウス／キーボード３２から指令を与えると、情報提示プログラム４４が処理を開始する。
【００４３】
ＣＰＵ３６は、図８のステップＳ５０１において、ユーザによって指定されたグループに属する項目情報ＩＤを取得する。項目情報ＩＤ一覧の取得処理の詳細を、図９に示す。ＣＰＵ３６は、事典４６（項目情報ＤＢ）にアクセスする（ステップＳ６０１）。
【００４４】
次に、ＣＰＵ３６は、事典４６のグループ情報（図５）を参照して、ユーザの指定したグループに属する項目情報ＩＤを取得する（ステップＳ６０２、ステップＳ６０３）。ここでは、ユーザにより「歴史」が指定されたものとする。この場合、ＣＰＵ３６は、図５ＡのＤＩＣ＿ＧＲＯＵＰ＿ＮＡＭＥ２５２が「歴史」である行を探し、そのグループＩＤ「０００１」を得る。さらに、図５Ｂから、このグループＩＤ「０００１」に属する項目情報ＩＤを得るために、ＦＷ＿ＤＩＣ＿ＧＲＯＵＰ＿ＩＤ２５３が「０００１」である行を探し、ＦＷ＿ＤＩＣ＿ＩＤ２５４から当該グループＩＤに属する項目情報ＩＤを取得する。
【００４５】
次に、全ての項目情報ＤＢについて処理を行ったかどうかを判断する（ステップＳ６０５）。ここでは、まだ、項目情報ＤＢとしてユーザ事典４８が残っているので、ＣＰＵ３６は、ステップＳ６０１に戻ってユーザ事典４８にアクセスする。
【００４６】
次に、ＣＰＵ３６は、ユーザ事典４８のグループ情報（図７）を参照して、ユーザの指定したグループに属する項目情報ＩＤを取得する（ステップＳ６０２、ステップＳ６０３）。ここでは、ＣＰＵ３６は、図７ＡのＵＤＩＣ＿ＧＲＯＵＰ＿ＮＡＭＥ２７２が「歴史」である行を探し、そのグループＩＤ「０００１」を得る。さらに、図７Ｂから、このグループＩＤ「０００１」に属する項目情報ＩＤを得るために、ＦＷ＿ＵＤＩＣ＿ＧＲＯＵＰ＿ＩＤ２７３が「０００１」である行を探し、ＦＷ＿ＵＤＩＣ＿ＩＤ２７４から当該グループＩＤに属する項目情報ＩＤを取得する。
【００４７】
次に、全ての項目情報ＤＢについて処理を行ったかどうかを判断する（ステップＳ６０５）。ここでは、全ての項目情報ＤＢについて処理を行ったので、ＣＰＵ３６は、ステップＳ６０７に進む。ステップＳ６０７において、ＣＰＵ３６は、取得した項目情報ＩＤを集約する。なお、集約の際に、ＣＰＵ３６は、各項目情報ＩＤを、読み（かな）の順に並べる。また、ユーザ事典４８の項目情報で読み（かな）の記録されていないもの（図６の１行目参照）については先頭に並べる。
【００４８】
歴史について集約された項目情報ＩＤを図１０に示す。
【００４９】
以上のようにして、項目情報ＩＤ一覧の取得処理が終了すると、ＣＰＵ３６は、書籍レイアウト初期設定を行う（図８のステップＳ５０２）。書籍レイアウト初期設定の詳細なフローチャートを図１１に示す。ＣＰＵ３６は、図１０の項目情報ＩＤ一覧を参照して、各ページにおける項目情報の表示レイアウトを決定する。
【００５０】
この実施形態では、ディスプレイ３０の画面に３列の表示領域が確保されている（図１２参照）。ただし、各列において、何個の項目情報を表示できるかは、事典４６やユーザ事典４８に記録された説明文の長さにより変化する。ＣＰＵ３６は、左側の列から順に、図１０の項目情報ＩＤ一覧に記載された順に、各項目情報のための表示枠を確保していく。したがって、図１２Ａに示すように、表示枠が決定される（ステップＳ７０１）。枠５１は項目情報ＩＤ一覧の１行目の項目情報に対応し、枠５２は２行目の項目情報に対応し、枠５３は３行目の項目情報に対応する。２ページ目の表示枠は、図１２Ｂに示すように決定される。最後に、必要な全ページ数を算出して、初期設定を終了する（ステップＳ７０２）。
【００５１】
次に、ＣＰＵ３６は、表示用項目情報の取得を行う（図８のステップＳ５０３）。表示用項目情報取得処理の詳細を、図１３に示す。ＣＰＵ３６は、図１０の項目情報ＩＤ一覧の先頭から順に、項目情報ＩＤを読み出す（ステップＳ８０１）。ここでは、「ユーザ事典：０００１」「事典：０００１」「事典：０００３」・・・の順に読み出される。
【００５２】
次に、ＣＰＵ３６は、上記で読み出した項目情報ＤＢにアクセスして接続する（ステップＳ８０２）。次に、ＣＰＵ３６は、上記で読み出した項目情報ＩＤと等しい項目情報ＩＤを有する項目情報を、ユーザ事典４８から探し出す（ステップＳ８０３）。
【００５３】
このようにして、図１２において確保した枠５１、５２、５３・・・において表示すべき項目情報を取得する。項目情報が取得できたら、項目情報ＤＢから切断する（ステップＳ８０４）。
【００５４】
次に、ＣＰＵ３６は、取得した項目情報の、見出語と説明文を分離して取り出す（ステップＳ８０５）。
【００５５】
表示用項目情報取得処理が終了すると、ＣＰＵ３６は、項目情報書籍レイアウト生成処理を行う（ステップＳ５０４）。項目情報書籍レイアウト生成処理の詳細を、図１４に示す。
【００５６】
ＣＰＵ３６は、ディスプレイ３０に表示領域を確保する（ステップＳ９０１）。次に、ＣＰＵ３６は、表示領域の枠５１、５２・・・（図１２参照）に、取得した項目情報の見出語と、説明文を対応付けて、表示のためのメモリに記録する（ステップＳ９０２）。次に、ＣＰＵ３６は、見出語の部分に、項目情報詳細表示（単独表示）のためのリンクを生成する。なお、項目情報詳細表示（単独表示）は、情報提示装置が従来有する機能である。
【００５７】
続いて、ＣＰＵ３６は、画面に表示させるためのページ送りボタンやスライダなどのオブジェクトを設定し表示のためのメモリに記録する（ステップＳ９０４）。そして、ＣＰＵ３６は、表示のためのメモリの内容をディスプレイ３０に表示させる（ステップＳ９０５）。
【００５８】
上記の処理により、図１５に示すような画面が、ディスプレイ３０に表示される。図において、見出語４０３には、リンクが張られた状態となっている。説明文４０４が、見出語４０３の下に表示されている。マーク４０２は、事典４６であるかユーザ事典４８であるかを示すものである。「Ｕ」はユーザ事典４８、「Ｄ」は事典４６に対応している。また、ステップＳ７０２において算出した全体のページ数と、現在表示中のページ番号を、現在ページ位置表示４０９として表示している。図において、分母は全体のページ数、分子は現在表示中のページ番号を示している。
【００５９】
次に、ＣＰＵ３６は、ユーザからの指令があると画面操作を行う（図８のステップＳ５０５）。画面操作の詳細なフローチャートを、図１７に示す。ＣＰＵ３６は、ユーザがマウス／キーボード３２を用いて、操作指令を入力したかどうかを判断する（ステップＳ１００１）。操作指令を受信すると、ＣＰＵ３６は、ステップＳ１００３に進む。
【００６０】
ステップＳ１００３において、入力された操作指令が、表示に関する指令（拡大、縮小、位置移動、ページ移動など）であれば、それに対応する処理を行う。たとえば、図１５の画面において、ページ送りボタン４０７がクリックされると、ＣＰＵ３６は、図１６に示すように次のページを表示する（ステップＳ１００５）。このとき、現在ページ位置表示４０９は、２／２となり、ページ制御スライダ４０８は最終ページであることを示す右端に移動する。また、拡大処理をして、ページ全体が表示領域に入りきらない場合には、表示位置を移動させて、隠れている部分を表示させることができる。
【００６１】
一方、ステップＳ１００３において、入力された操作指令が、リンクをクリックしたものであれば（見出語をクリックしたものであれば）、項目情報詳細表示（単独表示）を実行する（ステップＳ１００４）。
【００６２】
たとえば、図１５の画面において、徳川家康の見出語４２０がクリックされると、図１８に示すような項目情報詳細表示（単独表示）がなされる。項目情報詳細表示においては、図１５の表示とは異なり、説明文中に、事典に収録されている用語が存在すれば、当該用語の項目詳細表示へのリンク１８０１、１８０２が表示される。
【００６３】
また、このページをブックマークしておくためのボタン１８０３や関連用語の項目詳細表示へのリンク１８０４、１８０５が表示される。
【００６４】
４．その他の実施形態
上記実施形態では、図１２に示すように、各項目情報における説明文の全文を表示することとし、説明文の長さに応じて、各ページにおける枠の大きさを変えるようにしている。しかし、図１９に示すように、各項目情報における説明文の先頭の所定行（たとえば２行）だけを表示することとし、各ページにおける枠の数を固定としてもよい。このようにすれば、１ページに多くの項目を表示することが可能となる。
【００６５】
上記実施形態においては、自らのハードディスクに記録されている項目情報を表示するようにしている。しかし、情報提示プログラム４４により、通信回路３４に接続された通信回線を介してインターネットなどによって接続された他のコンピュータに記録されている項目情報を取得して表示するようにしてもよい。
【００６６】
また、上記実施形態では、２つの項目情報ＤＢにまたがって項目情報を表示している。しかし、１つの項目情報ＤＢからの項目情報を表示するようにしてもよい。また、３以上の項目情報ＤＢにまたがって項目情報を表示するようにしてもよい。
【００６７】
なお、上記実施形態では、予めグループごとに用意された項目情報を表示するようにしたが、ユーザがマウス／キーボード３２によって入力したキーワードに合致する項目情報を選択し、これらを表示するようにしてもよい。
【００６８】
また、上記実施形態では、マウス／キーボード３２によってユーザが指令を入力するようにしている。しかし、タッチパネル方式のディスプレイを用いて、入力を行うようにしてもよい。
【図１】
2011180639.tif 000003
【図２】
2011180639.tif 000004
【図３】
2011180639.tif 000005
【図４】
2011180639.tif 000006
【図５】
2011180639.tif 000007
【図６】
2011180639.tif 000008
【図７】
2011180639.tif 000009
【図８】
2011180639.tif 000010
【図９】
2011180639.tif 000011
【図１０】
2011180639.tif 000012
【図１１】
2011180639.tif 000013
【図１２】
2011180639.tif 000014
【図１３】
2011180639.tif 000015
【図１４】
2011180639.tif 000016
【図１５】
2011180639.tif 000017
【図１６】
2011180639.tif 000018
【図１７】
2011180639.tif 000019
【図１８】
2011180639.tif 000020
【図１９】
2011180639.tif 000021